(57)【要約】【課題】ガス器具内のガス通路にガスに混じって異物が入り込むことを阻止するフィルタを容易に着脱可能とするガス通路のフィルタ取付構造を提供する。【解決手段】ガス器具１は、ガス器具１の外装ケース１０の構成板１１に取り付けられるインレット３と、外装ケース１０内に配設されてインレット３を介してガス配管６からガスが導入されるガス流入部２３とを有する。インレット３は、外装ケース１０の外部に突設されてガス器具１外に敷設された前記ガス配管６と接続される外部接続口３２と、外装ケース１０の内部に突設されて外部接続口３２と連通する内部接続口３３とを有する。ガス流入部２３は、ガス流入部本体２３ａと、インレット３側に配置されてガス流入部本体２３ａに対して軸方向にスライド可能に連結された可動筒部２５とを有し、フィルタ８がガス流入部２３内のガス通路に配置されるように可動筒部２５内に収容される。【選択図】図３
2010101502.tif 000002
【特許請求の範囲】
【請求項１】
ガス器具内のガス通路に異物が入り込むことを阻止するフィルタを着脱可能に取り付けるためのガス通路のフィルタ取付構造であって、
ガス器具の外装ケースの構成板に取り付けられるインレットと、外装ケース内に配設されてインレットを介してガス配管からガスが導入されるガス流入部とを有し、
前記インレットは、外装ケースの外部に突設されてガス器具外に敷設された前記ガス配管と接続される外部接続口と、外装ケースの内部に突設されて外部接続口と連通する内部接続口とを有し、
前記ガス流入部は、ガス流入部本体と、インレット側に配置されてガス流入部本体に対して軸方向にスライド可能に連結された可動筒部とを有し、
前記フィルタがガス流入部内のガス通路に配置されるように可動筒部内に収容されているガス通路のフィルタ取付構造。
【請求項２】
請求項１に記載のガス通路のフィルタ取付構造において、
前記可動筒部は、ガス流入部本体より伸ばしてインレットの内部接続口に接続され、
前記フィルタは、内部接続口に配置されてフィルタ周縁部が可動筒部と内部接続口との間に挟持されているガス通路のフィルタ取付構造。
【請求項３】
請求項１又は２に記載のガス通路のフィルタ取付構造において、
前記インレットには、外装ケースの構成板の外面に添設されるフランジが形成され、
前記フランジは、外装ケースの構成板とネジ止めされる器具固定部と、外装ケースの外面側から外装ケースの構成板を挿通して可動筒部とねじ止めされるガス導入口固定部とを有するガス通路のフィルタ取付構造。
【請求項４】
請求項１乃至３のいずれかに記載のガス通路のフィルタ取付構造において、
前記フィルタは、山高帽状のメッシュにより形成されているガス通路のフィルタ取付構造。
【発明の詳細な説明】
【技術分野】
【０００１】
本発明は、ガス器具内のガス通路にガスに混じって異物が入り込むことを阻止するフィルタを着脱可能に取り付けるためのガス通路のフィルタ取付構造に関する。
【背景技術】
【０００２】
ガス本管からガス配管を住宅の敷地へ敷設するガス配管工事の際、ガス配管内の砂や埃等の異物を十分に除去せずに給湯器等のガス器具にガス配管が接続されると、ガス器具内におけるガスコントロールユニットのバルブのシート部に砂等の異物が付着してガス漏れ事象を発生させることがある。そのため、従来は、ガスコントロールユニットに設けられるガス流入部内に金網メッシュ等のフィルタを配置させて、ガスに混じった砂等の異物をフィルタによって捕集してガス器具内のガス通路へ異物が入り込むことを阻止するようにしたものがある。
【特許文献１】実開昭５８−７３３１３号公報
【発明の開示】
【発明が解決しようとする課題】
【０００３】
しかしながら、フィルタに砂等の異物が多く溜まると、ガス流入部からのガス圧が低下してガスバーナの燃焼性能を悪化させる。そのため、定期的にフィルタを取り出して清掃する必要があるが、フィルタを取り外すには、このフィルタを取り付けたガス流入部を露出させる必要がある。ところが、ガス流入部を露出させるには、ガス流入部を設けたガスコントロールユニットを器具から取り外す必要があり、さらには、このガスコントロールユニットを取り外すためには、ガスコントロールユニットに接続されたガス管やガスバーナのマニホールドを器具から取り外す必要がある。従って、フィルタの取り外し作業は、大掛かりな作業となり非常に面倒である。
【０００４】
本発明は、上記事情に鑑みてなされたものであり、ガス器具内のガス通路にガスに混じって異物が入り込むことを阻止するフィルタを容易に着脱可能とするガス通路のフィルタ取付構造を提供することを課題とする。
【課題を解決するための手段】
【０００５】
本発明に係るガス通路のフィルタ取付構造は、
ガス器具内のガス通路に異物が入り込むことを阻止するフィルタを着脱可能に取り付けるためのガス通路のフィルタ取付構造であって、
ガス器具の外装ケースの構成板に取り付けられるインレットと、外装ケース内に配設されてインレットを介してガス配管からガスが導入されるガス流入部とを有し、
前記インレットは、外装ケースの外部に突設されてガス器具外に敷設された前記ガス配管と接続される外部接続口と、外装ケースの内部に突設されて外部接続口と連通する内部接続口とを有し、
前記ガス流入部は、ガス流入部本体と、インレット側に配置されてガス流入部本体に対して軸方向にスライド可能に連結された可動筒部とを有し、
前記フィルタがガス流入部内のガス通路に配置されるように可動筒部内に収容されている。
【０００６】
上記構成によれば、可動筒部をガス流入部本体側へスライドさせることにより、この可動筒部内に収容されたフィルタが露出される。これにより、例えば、ガスバーナのマニホールド、ガス管及びガスコントロールユニット等を取り外す等の大掛かりな作業を行うことなくフィルタを露出させてこのフィルタを簡単に取り出すことができる。このことは、同時に可動筒部内へのフィルタの取り付けが簡単に行えることとなる。
また、フィルタが収容される可動筒部を有するガス流入部は、外装ケース内に配設されているので、ガス器具外においていたずら等によりフィルタが取り外されることを防止することができる。
【０００７】
前記可動筒部は、ガス流入部本体より伸ばしてインレットの内部接続口に接続され、
前記フィルタは、内部接続口に配置されてフィルタ周縁部が可動筒部と内部接続口との間に挟持されていることが望ましい。
これによれば、フィルタは、ガス流によって傾いたりすることなく可動筒部内に安定して収容される。従って、フィルタによってガスに混じった砂等の異物を確実に捕集することができる。
【０００８】
前記インレットには、外装ケースの構成板の外面に添設されるフランジが形成され、
前記フランジは、外装ケースの構成板とネジ止めされる器具固定部と、外装ケースの外面側から外装ケースの構成板を挿通して可動筒部とねじ止めされるガス導入口固定部とを有することが望ましい。
これによれば、ガス導入口固定部からネジを取り外すと、インレットを外装ケースに固定した状態で可動筒部をガス流入部本体側へスライドさせて縮めることによりインレットから可動筒部の接続解除を円滑に行うことができる。従って、可動筒部内に収容されたフィルタを簡単に露出させることができる。
また、可動筒部をインレットから接続解除する際、器具内に工具を差し込んで操作する場合は器具内に設置された各種部材が邪魔になって工具を操作し難いが、可動筒部は、外装ケースの構成板の外面に添設されたガス導入口固定部により外装ケースの外面側からねじ止めされているので、障害物の少ないガス器具の外側から工具を容易に操作してガス導入口固定部のネジを取り外すことができる。従って、可動筒部をインレットから接続解除する作業性がよく、ひいては、フィルタの取り外しの作業性を向上することができる。
【０００９】
前記フィルタは、山高帽状のメッシュにより形成されていることが望ましい。
これによれば、フィルタを山高帽状に形成することにより、平板状のフィルタに比べて表面積を広くすることができ、その分、異物の捕集によるフィルタのメッシュの目詰まりを遅延させることができる。従って、フィルタの目詰まりによりガス圧が早期に低下することを防止することができ、且つフィルタ清掃のメンテナンス作業の周期を長くしてメンテナンスにかかるコストを低減することができる。
【発明の効果】
【００１０】
以上のように、本発明に係るガス通路のフィルタ取付構造によれば、ガス器具内のガス通路にガスに混じった異物が入り込むことを阻止するフィルタを容易に着脱することができ、従って、定期的にフィルタを取り出して清掃を行う際の作業性が向上される。
【発明を実施するための最良の形態】
【００１１】
図１には、本発明に係るガス通路のフィルタ取付構造を適用したガス器具としての給湯器１を示す。この給湯器１は、外装ケース１０内に、熱交換器４と、熱交換器４の下に配置する燃焼筐５とを備えている。燃焼筐５には、複数のガスバーナ５１と、これらガスバーナ５１に混合ガスを供給するマニホールド５２とが設けられている。また、外装ケース１０の下板１１（構成板）には、器具外に敷設されたガス配管６を接続させる配管接続用のインレット３が取り付けられている。外装ケース１０内では、ガスバーナ５１へのガス供給を制御するガスコントロールユニット２のガス流入部２３がインレット３に接続されている。そして、このガスコントロールユニット２のガス流出部２４には、マニホールド５２に接続されるガス管５３が接続されている。従って、ガス配管６から導入されるガスは、インレット３、ガスコントロールユニット２、ガス管５３、マニホールド５２を通してガスバーナ５１に供給される。
【００１２】
図２、図３に示すように、インレット３は、外装ケース１０の下板１１の外面に添設されるフランジ３１と、フランジ３１の下方に位置して外装ケース１０外に突設させる外部接続口３２と、下板１１に形成した貫通孔１２を通して外装ケース１０内に突設させる内部接続口３３とが設けられている。フランジ３１は、外装ケース１０の下板１１とネジ止めされる器具固定部３４と、ガスコントロールユニット２とネジ止めされるガス導入口固定部３５とで構成されている。図２に示すフランジ３１では、ガス導入口固定部３５は、四角形状に形成され、その一方の対角線上に対向する角部付近のそれぞれにネジ２０ａ，２０ｂを挿通させる透孔３５ａ，３５ｂが設けられている。器具固定部３４は、四角形状のガス導入口固定部３５の一方の対向辺のそれぞれから三角形状に延長形成され、その外側の頂部付近のそれぞれにネジ３０ａ，３０ｂを挿通させる透孔３４ａ，３４ｂが設けられている。外部接続口３２と内部接続口３３とは連通されており、外部接続口３２には器具外に敷設されたガス配管６が接続され、内部接続口３３にはガスコントロールユニット２のガス流入部２３が接続される。内部接続口３３は、基端側が大径部３６となり、先端側が小径部３７となっており、大径部３６の外周部には後述するガスコントロールユニット２の可動筒部２５との間の気密性を確保するためのＯリング３９が装着されている。
【００１３】
ガスコントロールユニット２は、ガスバーナ５１へのガス供給をオンオフ制御する上流側の電磁開閉弁２１と、ガスバーナ５１へのガス供給量を増減制御する下流側の電磁比例弁２２とが内蔵されている。ガスコントロールユニット２には、インレット３の内部接続口３３に接続されるガス流入部２３と、マニホールド５２へガス供給するガス管５３と接続されるガス流出部２４とが設けられている。そして、ガス流入部２３の端部のガス導入口は、ガス流入部本体２３ａに対して軸方向にスライド可能に外嵌する可動筒部２５となっている。ガス流入部本体２３ａの外周部には、可動筒部２５との間の気密性を確保するためのＯリング２９が装着されている（図３参照）。可動筒部２５の上端部近傍には、ロックネジ９０が取り付けられている。このロックネジ９０を締付けることにより、ロックネジ９０がガス流入部本体２３ａの外面を押圧してこの押圧力により可動筒部２５がガス流入部本体２３ａに固定され、可動筒部２５のスライドが阻止される。可動筒部２５の開放側端部の外周面には、インレット３のガス導入口固定部３５と略同一の大きさの四角形状に形成されたツバ２７が設けられている。ツバ２７には、ガス導入口固定部３５の各透孔３５ａ，３５ｂと対向した位置にネジ孔２７ａ，２７ｂが設けられている。可動筒部２５の開放側端部の内面は、インレット３の内部接続口３３の大径部３６と外嵌してＯリング３９により気密にシールされる拡径部２６となっている（図３参照）。
【００１４】
外装ケース１０の下板１１には、インレット３の器具固定部３４に設けられた各透孔３４ａ，３４ｂの対応位置にネジ孔１３ａ，１３ｂが設けられ、また、インレット３のガス導入口固定部３５に設けられた各透孔３５ａ，３５ｂの対応位置にも透孔１４ａ，１４ｂが設けられている。そして、外装ケース１０の外側からインレット３の器具固定部３４の透孔３４ａ，３４ｂにネジ３０ａ，３０ｂを挿通させて下板１１のネジ孔１３ａ，１３ｂに螺合させることにより、インレット３が外装ケース１０の下板１１に取り付けられる。また、ガスコントロールユニット２の可動筒部２５を下方にスライドさせてインレット３の内部接続口３３に外嵌させ、外装ケース１０の外側からガス導入口固定部３５の透孔３５ａ，３５ｂ及び下板１１の透孔１４ａ，１４ｂにネジ２０ａ，２０ｂを挿通させて可動筒部２５のツバ２７のネジ孔２７ａ，２７ｂに螺合させることにより、可動筒部２５がインレット３に接続される。そして、可動筒部２５のロックネジ９０を締付けることにより、可動筒部２５の上方へのスライドが阻止され、可動筒部２５がインレット３の内部接続口３３に接続した状態で安定して固定され得る。
【００１５】
ここで、ガスコントロールユニット２におけるガス流入部２３のガス導入口となる可動筒部２５とインレット３の内部接続口３３との接続部分には、給湯器１内のガス通路に対してガスに混じって砂や埃等の異物が入り込むことを阻止する山高帽状のフィルタ８が取り付けられる。すなわち、インレット３の内部接続口３３にフィルタ８を被せるように配置させ、ガスコントロールユニット２の可動筒部２５を下方にスライドさせて内部接続口３３に外嵌接続させることにより、前記フィルタ８の周縁部が可動筒部２５の内面と内部接続口３３の小径部３７の外面との間に挟持されてフィルタ８が可動筒部２５内に収容される（図３左側を参照）。これにより、フィルタ８は、その周縁部が可動筒部２５と内部接続口３３との間に挟持されるので、ガス流によって傾いたりすることなく可動筒部２５内に安定して収容される。従って、ガスに混じった砂等の異物をフィルタ８によって確実に捕集することができる。このフィルタ８は、例えば、３０メッシュ〜６０メッシュの目開きの網状のものが使用されるが、細かい異物を確実に捕集するには目開きの小さい６０メッシュが好ましく使用される。フィルタ８の材質は、金属製、樹脂製等のものが使用される。このフィルタ８は、外装ケース１０内のガス流入部２３における可動筒部２５内に収容されるので、給湯器１外においていたずら等により故意にフィルタ８が取り外されることを防止することができる。
【００１６】
また、フィルタ８は、インレット３の内部接続口３３に被せられる大きさの山高帽状に形成されているので、平板状のフィルタに比べて表面積を広くすることができ、その分、異物の捕集によるフィルタ８の目詰まりを遅延させることができる。従って、フィルタ８の目詰まりによりガス圧が早期に低下することを防止することができ、且つフィルタ清掃のメンテナンス作業の周期を長くしてメンテナンスにかかるコストを低減することができる。しかも、フィルタ８を山高帽状に形成し異物の捕集面積を広くすることにより、メッシュの目開きが小さいフィルタ８を使用して小さな異物をも確実に捕集させるようにしても、フィルタ８の目詰まりによるガス圧の早期低下を防止できるから、メンテナンス周期を短くすることなくメッシュの目開きが小さいフィルタ８を使用することができる点で有利となる。
【００１７】
一方、フィルタ８に砂等の異物が多く溜まると、ガス流入部２３でのガス圧が低下してガスバーナ５１の燃焼性能を悪化させるため、定期的にフィルタ８を取り出して清掃するメンテナンスが行われる。このメンテナンス時にフィルタ８を取り外すには、インレット３のフランジ３１のガス導入口固定部３５を介してガスコントロールユニット２の可動筒部２５をネジ止めしているネジ２０ａ，２０ｂを取り外すと共に、可動筒部２５のロックネジ９０を緩めて可動筒部２５をガス流入部本体２３ａ側へスライド可能な状態とする。この状態では、インレット３はフランジ３１の器具固定部３４が外装ケース１０の下板１１にネジ止めされ固定されているから、可動筒部２５をガス流入部本体２３ａ側へスライドさせることにより、可動筒部２５とインレット３の内部接続口３３との接続解除が円滑に行われる。すると、可動筒部２５と内部接続口３３とが離間されて内部接続口３３に配置したフィルタ８が露出される（図３右側を参照）。これにより、例えば、ガスバーナ５１のマニホールド５２、ガス管５３及びガスコントロールユニット２等を取り外す等の大掛かりな作業を行うことなくインレット３の内部接続口３３を露出させ、この内部接続口３３に配置するフィルタ８を簡単に取り外すことができる。このことは、同時にフィルタ８を内部接続口３３に簡単に取り付けることができることとなる。
【００１８】
また、可動筒部２５をインレット３から接続解除する際、器具内に工具を差し込んで操作する場合は器具内に設置された各種部材が邪魔になって工具を操作し難いが、可動筒部２５は、外装ケース１０の外面側からガス導入口固定部３５の透孔３５ａ，３５ｂ及び下板１１の透孔１４ａ，１４ｂにネジ２０ａ，２０ｂを挿通させてねじ止めされているので、障害物の少ない外装ケース１０の外側から工具を容易に操作してネジ２０ａ，２０ｂを外すことができる。従って、可動筒部２５をインレット３から接続解除する作業性がよく、ひいては、インレット３の内部接続口３３を露出させてフィルタ８を取り外す作業を容易に行うことができる。
【００１９】
また、可動筒部２５は、ガス流入部２３にスライド可能に外嵌されているので、可動筒部２５を上方にスライドさせるときにフィルタ８が可動筒部２５内に嵌り込んで一緒に移動しても、フィルタ８は、可動筒部２５の内側に配置されたガス流入部本体２３ａの下端に当接して可動筒部２５内での嵌り込みから解放されてインレット３の内部接続口３３上に落下される。従って、フィルタ８が可動筒部２５内に嵌り込んでフィルタ８の取り外しに支障を来たすことがない。
【００２０】
以上のように、本実施形態によるガス通路のフィルタ８取付構造によれば、給湯器１内のガス通路にガスに混じった異物が入り込むことを阻止するフィルタ８を容易に着脱することができ、従って、定期的にフィルタ８を取り出して清掃を行う際の作業性が向上される。また、同時にフィルタ８を内部接続口３３に簡単に取り付けることができるので、フィルタ８の脱着が簡単で、メンテナンスにかかるコストを低減することができる。
なお、フィルタ８は、山高帽状とするが、図４に示すように、平板状とし、その周縁部を可動筒部２５と内部接続口３３の小径部３７との間で挟持させるように取り付けたものでもよい。
【００２１】
また、上記実施形態では、本発明に係るフィルタ取付構造をガス器具としての給湯器１に適用した場合を例示したが、ガスコンロに適用してもよい。
【図面の簡単な説明】
【００２２】
【図１】本発明に係るガス通路のフィルタ取付構造を適用したガス器具としての給湯器の構成の概略を示す構成図である。
【図２】実施形態によるガス通路のフィルタ取付構造を説明するための分解斜視図である。
【図３】実施形態によるガス通路のフィルタ取付構造を示す断面図である。
【図４】実施形態の変形例としてフィルタ形状を平板状とした場合のガス通路のフィルタ取付構造を示す断面図である。
【符号の説明】
【００２３】
１  給湯器
２  ガスコントロールユニット
３  インレット
６  ガス配管
８  フィルタ
９  ネジ栓（閉塞栓）
１０  外装ケース
１１  下板（構成板）
２３  ガス流入部
２３ａ  ガス流入部本体
２４  ガス流出部
２５  可動筒部
２６  拡径部
２７  ツバ
３１  フランジ
３２  外部接続口
３３  内部接続口
３４  器具固定部
３５  ガス導入口固定部
３６  大径部
３７  小径部
５１  ガスバーナ
５２  マニホールド
５３  ガス管
８０  筒型フィルタ
９０  ロックネジ
【図１】
2010101502.tif 000003
【図２】
2010101502.tif 000004
【図３】
2010101502.tif 000005
【図４】
2010101502.tif 000006